【手続補正書】
【提出日】令和2年11月25日(2020.11.25)
【手続補正１】
【補正対象書類名】明細書
【補正対象項目名】００２３
【補正方法】変更
【補正の内容】
【００２３】
【図１】実施の形態に係る情報処理装置、生体情報取得装置、及び携帯情報端末の適用場面の一例を模式的に例示する図。
【図２】実施の形態に係る情報処理装置のハードウェア構成の一例を模式的に例示する図。
【図３】実施の形態に係る携帯情報端末のハードウェア構成の一例を模式的に例示する図。
【図４】実施の形態に係る生体情報取得装置のハードウェア構成の一例を模式的に例示する図。
【図５】実施の形態に係る情報処理装置のソフトウェア構成の一例を模式的に例示する図。
【図６】実施の形態に係る携帯情報端末のソフトウェア構成の一例を模式的に例示する図。
【図７】実施の形態に係る情報処理装置の処理手順の一例を例示する図。
【図８】実施の形態に係る携帯情報端末の処理手順の一例を例示する図。
【手続補正２】
【補正対象書類名】明細書
【補正対象項目名】００２６
【補正方法】変更
【補正の内容】
【００２６】
本実施形態に係る情報処理装置１５０は、受信部１５１が携帯情報端末１２０から、バイタルデータと生活習慣データとを受信する。バイタル及び生活習慣ＤＢ（ＤＢはデータベースの略称である）１５２は、これらバイタルデータと生活習慣データとを記憶する。バイタル及び生活習慣ＤＢ１５２は、例えば、バイタルデータ及び生活習慣データと共に、そのデータに関連する年月日データとを記憶する。なお、本実施形態に係る情報処理装置１５０は、本発明の「情報処理装置」に相当する。
基準ＤＢ１５３は、バイタルデータ及び生活習慣データに含まれる個別のデータが示す量が意味する内容を定めるための判定基準を示す基準データを記憶している。基準データは、通常、データを意味づけるためのしきい値を含んでいる。一例としてバイタルデータのうちの血圧データの場合での基準データは、例えば「収縮期血圧１４０ｍｍＨｇ以上または拡張期血圧９０ｍｍＨｇ以上ならば、高血圧と判定」の内容がデータ化されている。この場合には基準データは、しきい値「収縮期血圧１４０ｍｍＨｇ」及び「拡張期血圧９０ｍｍＨｇ」の２つを含んでいる。また、生活習慣データのうちの摂取データの場合には、基準データは例えば、「１日に摂取した食品が３０品目以上、かつ食品群の１群から６群の全てに分布しているならば、最良の食品摂取と判定」、「１日に摂取した食品が３０品目以上あるが、食品群の３群（緑黄色野菜）が他の食品群に比較して食品摂取が３品目以上少ないならば、３群の食品摂取が不足と判定」の内容がデータ化されている。この場合、基準データは、「３０品目」、「１群から６群の全て」、「食品群の３群が他の食品群に比較して食品摂取が３品目以上少ない」の３つのしきい値を含んでいることになる。
これらの基準データは、予め基準ＤＢ１５３に記憶しておく、または、バイタル及び生活習慣ＤＢ１５２に記憶されるデータが追加または変更されるごとに、データに対応する基準データがネットワークから自動的に検索され取得されてもよい。なお、バイタル及び生活習慣ＤＢ１５２に記憶される１つのデータに対し、１以上の基準データが基準ＤＢ１５３内に記憶されていることが望ましい。
クーポンＤＢ１５４は、特定の行動をユーザに奨励するクーポンのクーポンデータを記憶している。クーポンデータは、例えば「クリニックでの治療を優先的に受けることができる優待券」の内容がデータ化されたものがある。このクーポンは、例えば、ユーザが高血圧と判定された場合にユーザに提供される。また、クーポンデータは、例えば、「食品群の３群（緑黄色野菜）に該当する食品を購入する割引券」の内容がデータ化されたものがある。このクーポンは、例えば、ユーザが緑黄色野菜の摂取が他の食品群に比較して著しく少なかった場合にユーザに提供される。なお一般に、バイタル及び生活習慣ＤＢ１５２に記憶される１つのデータに対し、１以上のクーポンデータがクーポンＤＢ１５４内に記憶されていることが望ましい。
提供部１５５は、バイタル及び生活習慣ＤＢ１５２に記憶されているデータに対応する、基準ＤＢ１５３に記憶されている基準データを適用し、この適用した結果に応じてクーポンＤＢ１５４からクーポンデータを取得し、ユーザに提供する。
【手続補正３】
【補正対象書類名】明細書
【補正対象項目名】００２７
【補正方法】変更
【補正の内容】
【００２７】
使用履歴ＤＢ１５７は、ユーザが使用したクーポンの履歴データを記憶している。判定部１５６は、使用履歴ＤＢ１５７の中の、使用されたクーポンと、そのクーポンに対応するバイタル及び生活習慣ＤＢ１５２にあるデータが示す値を、クーポンの使用前後で比較して、クーポンがユーザに効果があったかどうかを判定する。
更新部１５８は、判定部１５６の判定結果を受けて、クーポンと、このクーポンに対応するバイタル及び生活習慣ＤＢ１５２に記憶されているデータとを関連付ける度合を示す重みを更新する。判定部１５６がクーポンの効果があると判定した場合には、更新部１５８が対応するクーポンとデータとの重みを予め決められた値だけ大きくし、逆に効果がないと判定された場合には、更新部１５８が対応するクーポンとデータとの重みを予め決められた値だけ小さくする。また、更新部１５８は、効果の大きさに応じて重みの値を変化させてもよい。
重みＤＢ１５９は、クーポンＤＢ１５４に記憶されるクーポンと、このクーポンに対応するバイタル及び生活習慣ＤＢ１５２に記憶されているデータとを関連付ける度合を示す重みがデータ化されて記憶されている。なお、提供部１５５は、バイタル及び生活習慣ＤＢ１５２に記憶されるデータと、このデータに対応するクーポンＤＢ１５４に記憶されるクーポンデータと、これらに関連付けられている重みデータと、を参照してクーポンデータを選択する。提供部１５５は、例えば、重みが最も大きい重みデータに対応するクーポンデータを選択し、ユーザに提供する。一般に、バイタル及び生活習慣ＤＢ１５２に記憶される１つのデータに対し、１以上のクーポンデータがクーポンＤＢ１５４内に記憶されている。
【手続補正４】
【補正対象書類名】明細書
【補正対象項目名】００３５
【補正方法】変更
【補正の内容】
【００３５】
ドライブ２１５は、例えば、ＣＤ（Compact Disc）ドライブ、ＤＶＤ（Digital Versatile Disc）ドライブ等であり、記憶媒体に記憶されたプログラムを読み込むための装置である。ドライブ２１５の種類は、記憶媒体の種類に応じて適宜選択されてよい。上記の最適化プログラム、携帯情報端末１２０から取得した取得データ、及び／または送信予定の画像データは、この記憶媒体に記憶されていてもよい。ここでは、記憶媒体の一例として、ＣＤ、ＤＶＤ等のディスク型の記憶媒体を例示している。しかしながら、記憶媒体の種類は、ディスク型に限定される訳ではなく、ディスク型以外であってもよい。ディスク型以外の記憶媒体として、例えば、フラッシュメモリ等の半導体メモリを挙げることができる。なお、記憶媒体は、コンピュータその他装置、機械等が、記録されたプログラム等の情報を読み取り可能なように、当該プログラム等の情報を、電気的、磁気的、光学的、機械的または化学的作用によって蓄積する媒体である。
【手続補正５】
【補正対象書類名】明細書
【補正対象項目名】００５８
【補正方法】変更
【補正の内容】
【００５８】
記憶部４１４は、コンピュータその他の装置または機械等が記録されたプログラム等の情報を読み取り可能なように、当該プログラム等の情報を、電気的、磁気的、光学的、機械的、または化学的作用によって蓄積する媒体である。生体情報取得装置１００は、この記憶部４１４から、センサデータ取得プログラムを取得してもよい。
【手続補正６】
【補正対象書類名】明細書
【補正対象項目名】００７２
【補正方法】変更
【補正の内容】
【００７２】
＜携帯情報端末＞  
次に、図６を用いて、本実施形態に係る携帯情報端末１２０のソフトウェア構成の一例を説明する。  
携帯情報端末１２０の制御部３１３は、必要なプログラムを実行する際に、記憶部３１４に記憶された、撮像画像解析プログラム及び／または画像表示プログラムをＲＡＭに展開する。そして、制御部３１３は、ＲＡＭに展開された撮像画像解析プログラム及び／または画像表示プログラムをＣＰＵにより解釈及び実行して、各構成要素を制御する。これによって、図６に示される通り、本実施形態に係る携帯情報端末１２０の制御部３１３は、受信部６０１、画像取得部６０２、食品解析部６０３、表示制御部６０４、指示受付部６０５、及び送信部６０６を備える。
【手続補正７】
【補正対象書類名】明細書
【補正対象項目名】００７８
【補正方法】変更
【補正の内容】
【００７８】
＜その他＞  
情報処理装置１５０及び携帯情報端末１２０の各動作に関しては後述する動作例で詳細に説明する。なお、本実施形態では、情報処理装置１５０及び携帯情報端末１２０の各部がいずれも汎用のＣＰＵによって実現されてもよい。しかしながら、以上の機能の一部または全部が、１または複数の専用のプロセッサにより実現されてもよい。また、情報処理装置１５０及び／または携帯情報端末１２０の構成に関して、実施形態に応じて、適宜、構成要素の、省略、置換及び追加が行われてもよい。
【手続補正８】
【補正対象書類名】明細書
【補正対象項目名】００９８
【補正方法】変更
【補正の内容】
【００９８】
（ステップＳ８０６）  
ステップＳ８０６では、制御部３１３は、送信部６０６として動作し、記憶されている生体情報取得装置１００からのデータを情報処理装置１５０へ、通信インタフェース３１７を介して送信する。
【手続補正９】
【補正対象書類名】明細書
【補正対象項目名】０１０４
【補正方法】変更
【補正の内容】
【０１０４】
（ステップＳ８１２）  
ステップＳ８１２では、制御部３１３は、送信部６０６として動作し、通信インタフェース３１７を介して、情報処理装置１５０へ指示データを送信し、ステップＳ８０７へ進む。
【手続補正１０】
【補正対象書類名】明細書
【補正対象項目名】０１０５
【補正方法】変更
【補正の内容】
【０１０５】
［作用と効果］  
以上のように、本実施形態では、上記ステップＳ７０１において、生体情報取得装置１００が取得したバイタルデータと、携帯情報端末１２０から取得した生活習慣データとを取得し、ステップＳ７０３において、基準ＤＢ２２２に記憶されている基準データのうちの対応する基準データを、取得したデータに適用する。そして、ステップＳ７０７において、適用した結果に応じて、選択部５０３がクーポンＤＢ２２３からクーポンデータを選択し、このクーポンデータに対応するクーポンをユーザに提供することができる。さらに、ステップＳ７０５からステップＳ７０７において、判定部５０６が、ユーザに提供されたクーポンの使用履歴を使用履歴ＤＢ２２４に記録しておき、使用したクーポンに対応するバイタルデータまたは生活習慣データが示す値が、クーポンの使用前後で生活習慣を改善する効果があったかどうかを判定する。判定部５０６がこのクーポンは生活習慣の改善に効果があったと判定した場合には、更新部５０７がこのクーポンと対応するバイタルデータまたは生活習慣データとを関連付ける度合を示す重みを大きく設定して更新する。この結果、ユーザの生活習慣を改善することに寄与するクーポンはより提供されやすくなり、生活習慣が改善するように効果的にクーポンをユーザに提供することができる。したがって、本実施形態によれば、ユーザの生活習慣を改善するためにクーポンをユーザに効果的に提供することができる。